(57)【要約】  プリントシステムは、ユーザーにより指定された、指定印刷サイズＳｚＤを受付ける受付け部１０１ａと、印刷対象画像に、フレームが合成された合成画像を、指定印刷サイズＳｚＤ、または、当該指定印刷サイズＳｚＤより大きいサイズで、用紙に印刷する印刷部１５０とを備える。
2017149791.tif 000002
【特許請求の範囲】
【請求項１】
印刷対象の画像である印刷対象画像に合成するためのフレームを使用して、当該印刷対象画像を印刷するプリントシステムであって、
ユーザーにより指定された、前記フレームの印刷用のサイズである指定印刷サイズを受付ける受付け部（１０１ａ，ＢＬ１）と、
前記印刷対象画像に、前記フレームが合成された合成画像を、前記指定印刷サイズ、または、当該指定印刷サイズより大きいサイズで、用紙に印刷する印刷部（１５０，ＢＬ２）と、を備える
プリントシステム。
【請求項２】
前記プリントシステムは、さらに、
前記印刷対象画像に、前記フレームを合成する画像処理部（１０１ｂ）を備える
請求項１に記載のプリントシステム。
【請求項３】
前記画像処理部は、さらに、
前記印刷対象画像を加工する
請求項２に記載のプリントシステム。
【請求項４】
前記プリントシステムは、さらに、
複数のフォトフレーム製品データを記憶している記憶部（１７０）を備え、
各前記フォトフレーム製品データは、製品としてのフォトフレームであるフォトフレーム製品に設けられた枠である製品内フレームの印刷用のサイズを示し、
前記複数のフォトフレーム製品データの各々は、異なる前記製品内フレームの印刷用のサイズを示し、
前記受付け部が受付けた前記指定印刷サイズは、前記記憶部が記憶している前記複数のフォトフレーム製品データから選択されたフォトフレーム製品データが示す、前記製品内フレームの印刷用のサイズである
請求項１から３のいずれか１項に記載のプリントシステム。
【請求項５】
前記画像処理部は、さらに、前記フレームを示す画像のデータに基づいて、当該フレームのサイズを算出する
請求項２に記載のプリントシステム。
【請求項６】
前記プリントシステムは、さらに、
前記指定印刷サイズを示すデータである指定印刷サイズデータを記憶する機能と、記憶している当該指定印刷サイズデータを削除する機能とを有する記憶部（１７０）を備える
請求項１から５のいずれか１項に記載のプリントシステム。
【請求項７】
前記プリントシステムが、前記合成画像を印刷可能な前記用紙のサイズは予め決まっており、
前記プリントシステムは、さらに、
前記指定印刷サイズを有する前記合成画像を印刷可能な前記用紙のサイズを特定する特定部（１０１ｃ）を備える
請求項１から６のいずれか１項に記載のプリントシステム。
【請求項８】
前記合成画像の数は、ｋ（１以上の整数）であり、
前記特定部は、さらに、ｋ枚の前記合成画像を、特定された前記サイズを有する用紙で印刷するために必要な当該用紙の数を特定する
請求項７に記載のプリントシステム。
【請求項９】
前記印刷部は、前記合成画像を、前記指定印刷サイズより大きいサイズである大サイズで、前記用紙に印刷し、
前記大サイズを有する前記合成画像である拡大合成画像の形状は、前記指定印刷サイズを有する前記合成画像である元合成画像の形状と同じであり、
前記拡大合成画像は、前記元合成画像の周縁が、当該元合成画像の中心から当該元合成画像の外部に向かう方向へ、１ミリから９ミリの範囲に含まれる距離だけ移動するように、当該元合成画像を拡大した画像である
請求項１から８のいずれか１項に記載のプリントシステム。
【請求項１０】
前記印刷部は、前記合成画像および切り取り線を、当該用紙に印刷し、
前記切り取り線は、前記合成画像が印刷された前記用紙のうち当該合成画像が存在する部分を当該用紙から切り取るための線である
請求項１から９のいずれか１項に記載のプリントシステム。
【発明の詳細な説明】
【技術分野】
【０００１】
本発明は、画像に合成するためのフレームを使用した印刷を行うプリントシステムに関する。
【背景技術】
【０００２】
従来のプリントシステムは、撮影画像を、記録媒体、ネットワーク等を介して印刷する機能に加え、予め記憶している複数の印刷パターンを使用した処理を行う機能を有している。当該撮影画像は、デジタルカメラ、携帯端末等で撮影された画像である。当該印刷パターンは、例えば、カレンダーの印刷、マルチ印刷、フレームの印刷、色目調整等を行うための制御パターンである。【０００３】
特許文献１では、プリント自動販売機が予め記憶している複数の印刷パターンのうち、ユーザーが指定した印刷パターンを使用した処理を行う技術（以下、「関連技術Ａ」ともいう）が開示されている。関連技術Ａにより、ユーザーは、指定した印刷パターンに基づいて加工された画像が印刷された印刷物を得ることができる。
【先行技術文献】
【特許文献】
【０００４】
【特許文献１】特開２００４−０３４５９７号公報
【発明の概要】
【発明が解決しようとする課題】
【０００５】
しかしながら、関連技術Ａでは、以下のような問題がある。具体的には、関連技術Ａでは、プリントシステムとしてのプリント自動販売機は、予め用意された複数の印刷パターンのうち、ユーザーが指定した印刷パターンに基づいて加工された画像を印刷する。印刷パターンに基づいて加工された画像のサイズは、予め定められたサイズである。そのため、関連技術Ａでは、画像を印刷するためのサイズの自由度が低いという問題がある。【０００６】
本発明は、このような問題を解決するためになされたものであり、画像を印刷するためのサイズの自由度を向上させたプリントシステムを提供することを目的とする。
【課題を解決するための手段】
【０００７】
上記目的を達成するために、本発明の一態様に係るプリントシステムは、印刷対象の画像である印刷対象画像に合成するためのフレームを使用して、当該印刷対象画像を印刷する。前記プリントシステムは、ユーザーにより指定された、前記フレームの印刷用のサイズである指定印刷サイズを受付ける受付け部と、前記印刷対象画像に、前記フレームが合成された合成画像を、前記指定印刷サイズ、または、当該指定印刷サイズより大きいサイズで、用紙に印刷する印刷部と、を備える。
【発明の効果】
【０００８】
本発明によれば、印刷部は、前記印刷対象画像に、前記フレームが合成された合成画像を、ユーザーにより指定された前記指定印刷サイズ、または、当該指定印刷サイズより大きいサイズで、用紙に印刷する。【０００９】
これにより、画像を印刷するためのサイズの自由度を向上させたプリントシステムを提供することができる。【００１０】
この発明の目的、特徴、態様、および利点は、以下の詳細な説明と添付図面とによって、より明白となる。
【図面の簡単な説明】
【００１１】
【図１】本発明の実施の形態１に係るプリントシステムの構成を示すブロック図である。
【図２】本発明の実施の形態１に係る画像印刷処理のフローチャートである。
【図３】表示部に表示される画像の一例を示す図である。
【図４】表示部に表示される画像の一例を示す図である。
【図５】表示部に表示される画像の一例を示す図である。
【図６】表示部に表示される画像の一例を示す図である。
【図７】表示部に表示される画像の一例を示す図である。
【図８】表示部に表示される画像の一例を示す図である。
【図９】画像が印刷された印刷物の一例を示す図である。
【図１０】プリントシステムの特徴的な機能構成を示すブロック図である。
【発明を実施するための形態】
【００１２】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１３】
＜実施の形態１＞
図１は、本発明の実施の形態１に係るプリントシステム１０００の構成を示すブロック図である。本明細書では、写真等を展示するための、製品としてのフォトフレームを、「フォトフレーム製品」という。フォトフレーム製品は、市販されている製品である。また、フォトフレーム製品は、例えば、紙、木等で構成される。フォトフレーム製品には、ｋ個の枠が設けられる。「ｋ」は、１以上の整数である。
【００１４】
以下においては、フォトフレーム製品に設けられた枠を、「製品内フレーム」という。製品内フレームは、写真等を外部に露出するための穴を囲む枠である。製品内フレームは、例えば、四角、ひし形、円等の形状を有する。
【００１５】
また、以下においては、枠を示す画像を、「フレーム」という。また、以下においては、製品内フレームを示す画像も、「フレーム」という。フレームは、例えば、写真を示す画像を装飾するために使用される。フレームは、例えば、四角、ひし形、円等の形状を有する。本実施の形態では、後述の処理により、フレームは、写真等を示す画像に合成される。
【００１６】
本明細書では、画像で表現されるフォトフレームを、単に、「フォトフレーム」という。フォトフレームは、例えば、ｋ個のフレームを示す画像である。フォトフレームは、例えば、フォトフレーム製品を示す画像である。
【００１７】
図１を参照して、プリントシステム１０００は、制御部１０１と、表示部１１０と、音声出力部１２０と、画像取得部１３０と、料金精算器１４０と、印刷部１５０と、入力部１６０と、記憶部１７０とを備える。
【００１８】
制御部１０１は、プリントシステム１０００が備える各構成要素（例えば、表示部１１０）と接続されている。制御部１０１は、後述の各種処理を行う。例えば、制御部１０１は、各構成要素の状態の管理、各構成要素への指示等を行う。すなわち、制御部１０１は、プリントシステム１０００が備える各構成要素を制御する。制御部１０１は、例えば、ＣＰＵ（Central Processing Unit）等のプロセッサである。
【００１９】
制御部１０１は、受付け部１０１ａと、画像処理部１０１ｂと、特定部１０１ｃとを含む。受付け部１０１ａ、画像処理部１０１ｂおよび特定部１０１ｃの各々は、制御部１０１により実行されるプログラムのモジュールである。なお、受付け部１０１ａ、画像処理部１０１ｂおよび特定部１０１ｃの各々は、専用のハードウェアで構成されてもよい。受付け部１０１ａ、画像処理部１０１ｂおよび特定部１０１ｃが行う処理等については、後述する。
【００２０】
表示部１１０および音声出力部１２０は、画像および音声により、ユーザーに操作等の指示を提示する指示部として機能する。表示部１１０は、液晶ディスプレイ、ＣＲＴディスプレイ等である。表示部１１０は、画像を表示するための画面を有する。当該画面は、例えば、透明なガラスで構成される。表示部１１０は、プリントシステム１０００の状態に応じた画像を当該画面に表示する。音声出力部１２０は、スピーカーである。
【００２１】
表示部１１０および音声出力部１２０は、後述の処理において、画像および音声を使用して、ユーザーが行うべき操作を示す指示を、当該ユーザーに与える。
【００２２】
画像取得部１３０は、プリントシステム１０００に設けられた記録媒体挿入部（図示せず）に、画像が記憶されている記録媒体Ｍ１が挿入された場合、当該記録媒体Ｍ１から当該画像を読み出す。記録媒体挿入部は、例えば、メモリカードにアクセス可能なカードリーダーである。記録媒体Ｍ１は、例えば、カード型メディア等である。当該カード型メディアは、例えば、ＳＤ（Secure Digital）メモリカードである。
【００２３】
なお、記録媒体Ｍ１は、ＣＤ（Compact Disc）、ＤＶＤ（Digital Versatile Disk）等のディスク媒体であってもよい。
【００２４】
以下においては、記録媒体挿入部（図示せず）に、記録媒体Ｍ１が挿入された状態を、「媒体アクセス可能状態」ともいう。媒体アクセス可能状態は、画像取得部１３０が、記録媒体Ｍ１にアクセス可能な状態である。
【００２５】
なお、プリントシステム１０００は、携帯端末４００と通信する機能を有する。携帯端末４００は、例えば、携帯電話、スマートフォン等である。以下においては、プリントシステム１０００が、携帯端末４００と通信可能な状態を、「端末通信可能状態」ともいう。端末通信可能状態は、例えば、プリントシステム１０００に、通信ケーブルを介して、複数の画像を記憶している携帯端末４００が接続された状態である。
【００２６】
画像取得部１３０は、端末通信可能状態において、携帯端末４００から、複数の画像を読み出す。
【００２７】
料金精算器１４０は、現金投入型の課金機である。料金精算器１４０は、例えば、貨幣識別機、紙幣識別機等である。貨幣識別機は、例えば、コインメックである。紙幣識別機は、例えば、ビルバリである。料金精算器１４０は、図示しない料金投入口を含む。料金精算器１４０は、ユーザーが料金投入口に投入した料金を精算する。なお、料金精算器１４０は、上記課金機に限定されず、Ｅｄｙ（登録商標）などの電子マネー対応機器であってもよい。
【００２８】
印刷部１５０は、画像を用紙に印刷する機能を有する装置である。
【００２９】
なお、プリントシステム１０００は、規格で定められた複数種類の規定サイズの用紙を有する。当該規定サイズは、例えば、ＤＳＣサイズ、ＫＧサイズ、Ｌ判サイズ、２Ｌ判サイズ等である。
【００３０】
入力部１６０は、ユーザーが、プリントシステム１０００に対し指示を与えるためのインタフェースである。入力部１６０は、例えば、タッチパネル、キーボード、マウスを含む。タッチパネルの形状は、シート状である。タッチパネルは、透明な部材で構成される。入力部１６０のタッチパネルは、表示部１１０の画面の表面に設けられる。
【００３１】
ユーザーは、入力部１６０を用いた操作を行うことにより、メニューの選択、印刷枚数、画像の選択等の操作を行うことができる。以下においては、ユーザーが、入力部１６０のタッチパネルを使用して行う操作を、「操作Ｔｕ」ともいう。操作Ｔｕは、例えば、ユーザーの指をタッチパネルに接触させる操作である。
【００３２】
記憶部１７０は、データを記憶する機能を有する。記憶部１７０は、詳細は後述するが、後述の複数のフォトフレーム製品データを予め記憶している。すなわち、プリントシステム１０００には、複数のフォトフレーム製品データが予め記憶されている。フォトフレーム製品データの詳細については、後述する。
【００３３】
次に、プリントシステム１０００が行う処理（以下、「画像印刷処理」ともいう）について説明する。図２は、本発明の実施の形態１に係る画像印刷処理のフローチャートである。画像印刷処理では、まず、ステップＳ１００の処理が行われる。
【００３４】
ステップＳ１００では、表示部１１０が、図３の画像Ｇ１０を表示する。画像Ｇ１０は、「通常印刷」および「フレームサイズ指定」のいずれかを、ユーザーに選択させるための画像である。
【００３５】
「通常印刷」は、プリントシステム１０００が有する用紙のサイズに基づいて、当該用紙に画像を印刷するための処理である。「フレームサイズ指定」は、ユーザーがフレームのサイズを指定するための処理である。
【００３６】
画像Ｇ１０には、ボタン画像Ｂ１０ａ，Ｂ１０ｂが示される。ボタン画像Ｂ１０ａは、通常印刷を選択するためのボタン画像である。ボタン画像Ｂ１０ｂは、フレームサイズ指定を選択するためのボタン画像である。
【００３７】
ユーザーにより、ボタン画像Ｂ１０ａを押下するための操作Ｔｕが行われた場合、処理は後述のステップＳ１３０Ｎへ移行する。一方、ユーザーにより、ボタン画像Ｂ１０ｂを押下するための操作Ｔｕが行われた場合、処理はステップＳ１２０へ移行する。
【００３８】
ここで、以下の前提Ｐｒ２を考慮する。前提Ｐｒ２では、ユーザーにより、ボタン画像Ｂ１０ｂを押下するための操作Ｔｕが行われる。これにより、処理はステップＳ１２０へ移行する。ステップＳ１２０では、サイズ指定処理が行われる。
【００３９】
前提Ｐｒ２におけるサイズ指定処理では、表示部１１０が、図３の画像Ｇ１１を表示する。画像Ｇ１１は、フレームサイズの指定方法として、「フォトフレーム製品データによる指定」、「フォトフレームとしての画像による指定」および「ユーザーによる指定」のいずれかを、ユーザーに選択させるための画像である。
【００４０】
画像Ｇ１１には、ボタン画像Ｂ１１ａ，Ｂ１１ｂ，Ｂ１１ｃが示される。ボタン画像Ｂ１１ａは、「フォトフレーム製品データによる指定」を示す。ボタン画像Ｂ１１ｂは、「フォトフレームとしての画像による指定」を示す。ボタン画像Ｂ１１ｃは、「ユーザーによる指定」を示す。
【００４１】
「フォトフレーム製品データによる指定」は、フォトフレーム製品データを使用して、フレームのサイズを指定するための方法である。具体的には、「フォトフレーム製品データによる指定」は、後述のフォトフレームメーカー、および、後述のフォトフレーム製品の形名等により、フレームのサイズを指定するための方法である。
【００４２】
「フォトフレームとしての画像による指定」は、フォトフレームとしての画像を使用して、フレームのサイズを指定するための方法である。「ユーザーによる指定」は、ユーザーが、フレームのサイズを指定するための方法である。
【００４３】
次に、フォトフレーム製品データを使用して、フレームのサイズを指定する処理について説明する。ここで、以下の前提Ｐｒ２ａを考慮する。前提Ｐｒ２ａでは、図３の画像Ｇ１１が表示された状態で、ユーザーにより、「フォトフレーム製品データによる指定」が選択される。具体的には、前提Ｐｒ２ａでは、ユーザーにより、ボタン画像Ｂ１１ａを押下するための操作Ｔｕが行われる。
【００４４】
これにより、前提Ｐｒ２ａにおけるサイズ指定処理では、表示部１１０が、図４の画像Ｇ２０を表示する。画像Ｇ２０は、フォトフレームメーカーを、ユーザーに選択させるための画像である。画像Ｇ２０は、複数のフォトフレームメーカーを、リスト形式で示す。
【００４５】
当該フォトフレームメーカーとは、前述のフォトフレーム製品を製造しているメーカー（会社）である。画像Ｇ２０では、リスト形式で示される複数のフォトフレームメーカーのいずれかを、ユーザーに選択させるための画像である。
【００４６】
例えば、ユーザーにより、フォトフレームメーカーとしての「写真カンパニー」を指定するための操作Ｔｕが行われた場合、表示部１１０は、図４の画像Ｇ２１を表示する。画像Ｇ２１は、写真カンパニーが販売している複数のフォトフレーム製品の形名を、リスト形式で示す。画像Ｇ２１は、リスト形式で示される複数のフォトフレーム製品の形名のいずれかを、ユーザーに選択させるための画像である。
【００４７】
なお、前述したように、記憶部１７０は、複数のフォトフレーム製品データを予め記憶している。
【００４８】
フォトフレーム製品データは、フォトフレーム製品に設けられた製品内フレームの情報を示すデータである。フォトフレーム製品データは、フォトフレーム製品に設けられた製品内フレームの数を示す。また、フォトフレーム製品データは、フォトフレーム製品に設けられた製品内フレームの位置を示す。また、フォトフレーム製品データは、製品内フレームの形状を示す。また、フォトフレーム製品データは、製品内フレームのサイズを示す。
【００４９】
記憶部１７０が記憶している複数のフォトフレーム製品データのうちの１つのフォトフレーム製品データは、例えば、図４の画像Ｇ２２が示すフォトフレームＦｒｎ１０のデータである。以下においては、枠を示す画像としてのフレームを、「フレームＦｒｎ」とも表記する。フレームＦｒｎは、例えば、製品内フレームを示す画像である。
【００５０】
図４を参照して、フォトフレームＦｒｎ１０は、フレームＦｒｎとして、フレームＦｒｎ１，Ｆｒｎ２，Ｆｒｎ３，Ｆｒｎ４を示す。
【００５１】
また、フォトフレーム製品データは、フレームＦｒｎ（製品内フレーム）の印刷用のサイズを示す。フレームＦｒｎの印刷用のサイズとは、当該フレームＦｒｎが用紙に印刷される場合における、当該フレームＦｒｎの実際のサイズである。以下においては、フレームＦｒｎの印刷用のサイズを、「印刷サイズＳｚｆ」または「Ｓｚｆ」ともいう。なお、印刷サイズＳｚｆは、製品内フレームの印刷用のサイズでもある。
【００５２】
フォトフレーム製品データは、１以上のフレームＦｒｎの形状を示す。また、フォトフレーム製品データは、１以上のフレームＦｒｎの印刷サイズＳｚｆを示す。
【００５３】
なお、記憶部１７０が記憶している複数のフォトフレーム製品データの各々は、異なるフレームＦｒｎの形状および印刷サイズＳｚｆを示す。すなわち、記憶部１７０が記憶している複数のフォトフレーム製品データの各々は、異なる製品内フレームの印刷用のサイズを示す。
【００５４】
ここで、例えば、ユーザーにより、フォトフレーム製品の形名としての「ＢＢ−４Ｓ」を指定するための操作Ｔｕが行われたと仮定する。この場合、表示部１１０は、図４の画像Ｇ２２を表示する。画像Ｇ２２は、形名が「ＢＢ−４Ｓ」であるフォトフレームを選択してよいか否かを確認するための画像である。
【００５５】
なお、画像Ｇ２２には、形名が「ＢＢ−４Ｓ」であるフォトフレームＦｒｎ１０が示される。また、画像Ｇ２２には、ボタン画像Ｂ２２ａ，Ｂ２２ｂが示される。以下においては、ユーザーにより選択（指定）されたフォトフレームＦｒｎを、「選択フォトフレーム」ともいう。
【００５６】
ユーザーは、表示部１１０が表示する画像Ｇ２２に示されるフォトフレームＦｒｎ１０を選択することに承諾した場合、当該ユーザーはボタン画像Ｂ２２ａを押下するための操作Ｔｕを行う。この場合、選択フォトフレームは、フォトフレームＦｒｎ１０である。
【００５７】
これにより、受付け部１０１ａは、選択フォトフレーム（フォトフレームＦｒｎ１０）が示す各フレームＦｒｎの形状および印刷サイズＳｚｆを受付ける。
【００５８】
選択フォトフレームは、前述したように、ユーザーにより選択（指定）されたフォトフレームＦｒｎである。以下においては、受付け部１０１ａが受付けた、選択フォトフレームが示す各フレームＦｒｎの印刷サイズＳｚｆを、「指定印刷サイズ」ともいう。すなわち、受付け部１０１ａは、選択フォトフレームが示す各フレームＦｒｎの指定印刷サイズを受付ける。
【００５９】
受付け部１０１ａが受付けた、各フレームＦｒｎの指定印刷サイズは、ユーザーにより指定されたサイズである。
【００６０】
以下においては、指定印刷サイズを示すデータを、「指定印刷サイズデータ」ともいう。受付け部１０１ａは、指定印刷サイズデータを、記憶部１７０に記憶させる。これにより、記憶部１７０は、指定印刷サイズデータを記憶する。これにより、プリントシステム１０００に指定印刷サイズデータが登録される。
【００６１】
そして、受付け部１０１ａは、記憶部１７０が記憶している複数のフォトフレーム製品データのうち、受付けた形状および指定印刷サイズ（印刷サイズＳｚｆ）を有する各フレームＦｒｎを示すフォトフレームＦｒｎ１０のフォトフレーム製品データを選択（特定）する。
【００６２】
すなわち、受付け部１０１ａが受付けた指定印刷サイズは、記憶部１７０が記憶している複数のフォトフレーム製品データから選択されたフォトフレーム製品データが示す、フレームＦｒｎ（製品内フレーム）の印刷用のサイズである。
【００６３】
一方、ユーザーが表示部１１０に表示されているフォトフレームＦｒｎ１０と異なるフォトフレームの選択を希望する場合、当該ユーザーはボタン画像Ｂ２２ｂを押下するための操作Ｔｕを行う。以上により、前提Ｐｒ２ａにおけるサイズ指定処理が終了する。
【００６４】
以下においては、フォトフレームの各種情報を示すデータを、「フォトフレームデータ」ともいう。フォトフレームデータは、例えば、フォトフレーム製品データである。
【００６５】
次に、ユーザーが所有している画像を、フォトフレームとして使用する場合の処理について説明する。ここで、以下の前提Ｐｒ２ｂを考慮する。前提Ｐｒ２ｂでは、前述の図３の画像Ｇ１１が表示された状態で、ユーザーにより、「フォトフレームとしての画像による指定」が選択される。具体的には、前提Ｐｒ２ｂでは、ユーザーにより、ボタン画像Ｂ１１ｂを押下するための操作Ｔｕが行われる。
【００６６】
以下においては、プリントシステム１０００が通信可能な対象物を、「通信対象物」ともいう。通信対象物は、記録媒体Ｍ１または携帯端末４００である。また、以下においては、プリントシステム１０００が、通信対象物と通信可能な状態を、「通信可能状態」ともいう。通信可能状態は、前述の媒体アクセス可能状態または端末通信可能状態である。
【００６７】
また、前提Ｐｒ２ｂでは、通信対象物が、予め、複数のフォトフレーム（画像）を記憶している。通信対象物に記憶されている複数のフォトフレームの全てまたは一部は、撮影により得られた画像である。
【００６８】
ボタン画像Ｂ１１ｂを押下するための操作Ｔｕが行われた場合、前提Ｐｒ２ｂにおけるサイズ指定処理では、表示部１１０が、図５の画像Ｇ３０を表示する。画像Ｇ３０は、プリントシステム１０００の状態を、前述の通信可能状態にするための動作を、ユーザーが行うことを要求するメッセージを示す。
【００６９】
画像Ｇ３０が表示された場合、ユーザーは、プリントシステム１０００の状態を、通信可能状態にするための動作Ｍｃを行う。当該動作Ｍｃは、記録媒体挿入動作または携帯端末接続動作である。
【００７０】
記録媒体挿入動作は、カードリーダー（記録媒体挿入部）に、記録媒体Ｍ１を挿入する動作である。携帯端末接続動作は、携帯端末４００を、通信ケーブルを介して、プリントシステム１０００に接続する動作である。
【００７１】
動作Ｍｃが行われ、プリントシステム１０００の状態が通信可能状態になった場合、画像取得部１３０が、通信対象物（記録媒体Ｍ１または携帯通信端末４００）から複数のフォトフレームを読み出す。そして、表示部１１０は、読み出された複数のフォトフレームを表示する。例えば、表示部１１０は、図５の画像Ｇ３１を表示する。画像Ｇ３１は、フォトフレームＦｒ１０ａ，Ｆｒ１０ｂ，Ｆｒ１０ｃ，Ｆｒ１０ｄ，Ｆｒ１０ｅ，Ｆｒ１０ｆを示す。
【００７２】
前提Ｐｒ２ｂでは、一例として、ユーザーは、フォトフレームＦｒ１０ｄを選択するための操作Ｔｕを行う。なお、フォトフレームとして使用される、通信対象物に記憶されている画像は、撮影時の状況等により歪んでいる場合もある。前提Ｐｒ２ｂでは、フォトフレームＦｒ１０ｄは、一例として、前述のフォトフレームＦｒｎ１０が歪んだ画像である。
【００７３】
以下においては、フォトフレームＦｒ１０ｄの歪みが修正された画像を、フォトフレームＦｒ１０ｄａともいう。フォトフレームＦｒ１０ｄａは、フォトフレームＦｒｎ１０である。
【００７４】
歪んだ画像であるフォトフレームＦｒ１０ｄを選択するための操作Ｔｕが行われた場合、画像処理部１０１ｂは、フォトフレームＦｒ１０ｄの歪みを修正することにより、フォトフレームＦｒ１０ｄａを得る。そして、表示部１１０は、フォトフレームＦｒ１０ｄと、歪みが修正されたフォトフレームＦｒ１０ｄａとを示す、図６の画像Ｇ３２を表示する。
【００７５】
また、画像Ｇ３２には、ボタン画像Ｂ３２ａ，Ｂ３２ｂが示される。ボタン画像Ｂ３２ａは、当該ボタン画像Ｂ３２ａを押下するための操作Ｔｕが行われた場合、フォトフレームＦｒ１０ｄを選択するためのボタン画像である。ボタン画像Ｂ３２ｂは、当該ボタン画像Ｂ３２ｂを押下するための操作Ｔｕが行われた場合、フォトフレームＦｒ１０ｄａを選択するためのボタン画像である。
【００７６】
前提Ｐｒ２ｂでは、ユーザーにより、ボタン画像Ｂ３２ａを押下するための操作Ｔｕが行われる。この場合、表示部１１０は、フォトフレームＦｒ１０ｄａを示す、図６の画像Ｇ３３を表示する。画像Ｇ３３は、フォトフレームＦｒ１０ｄａの外縁のサイズの入力を要求するための画像である。
【００７７】
画像Ｇ３３には、ボタン画像Ｂ３３ｎが示される。ボタン画像Ｂ３３ｎは、当該ボタン画像Ｂ３３ｎが示す数字を押下するための操作Ｔｕが行われることにより、フォトフレームＦｒ１０ｄａの外縁のサイズを入力するためボタン画像である。
【００７８】
以下においては、フォトフレームＦｒ１０ｄａが用紙に印刷される場合における、当該フォトフレームＦｒ１０ｄａの実際の外縁のサイズを、「外縁サイズＳｚＲ」ともいう。
【００７９】
外縁サイズＳｚＲは、フォトフレームＦｒ１０ｄａの縦サイズおよび横サイズを含む。なお、画像処理部１０１ｂは、画像認識機能を有する。具体的には、画像処理部１０１ｂは、フォトフレームが示すフレームを認識する機能を有する。
【００８０】
また、前述したように、フォトフレームＦｒ１０ｄａは、フォトフレームＦｒｎ１０である。フォトフレームＦｒｎ１０は、前述のフレームＦｒｎ１，Ｆｒｎ２，Ｆｒｎ３，Ｆｒｎ４を示す。
【００８１】
なお、フォトフレームＦｒｎ１０のデータは、相対サイズ情報を示す。当該相対サイズ情報は、フォトフレームＦｒｎ１０の外縁のサイズに対する、フレームＦｒｎ１，Ｆｒｎ２，Ｆｒｎ３，Ｆｒｎ４の各々の相対サイズを示す。
【００８２】
相対サイズ情報は、例えば、フレームＦｒｎ２の縦サイズが、フォトフレームＦｒｎ１０の縦サイズの０．４倍であることを示す。また相対サイズ情報は、例えば、フレームＦｒｎ２の横サイズが、フォトフレームＦｒｎ１０の横サイズの０．４倍であることを示す。そのため、フレームＦｒｎ２の縦サイズおよび横サイズは、フォトフレームＦｒｎ１０の外縁サイズＳｚＲと、相対サイズ情報とから算出可能である。
【００８３】
また、前提Ｐｒ２ｂでは、ユーザーが、ボタン画像Ｂ３３ｎを利用して、外縁サイズＳｚＲを入力ための操作Ｔｕを行う。
【００８４】
外縁サイズＳｚＲが入力された場合、画像処理部１０１ｂは、まず、認識処理を行う。認識処理では、画像処理部１０１ｂが、フレームＦｒｎを示す画像（フォトフレーム）における当該フレームＦｒｎを認識する。
【００８５】
前提Ｐｒ２ｂにおける認識処理では、フレームＦｒｎ１，Ｆｒｎ２，Ｆｒｎ３，Ｆｒｎ４を示す画像（フォトフレームＦｒｎ１０）における当該フレームＦｒｎ１，Ｆｒｎ２，Ｆｒｎ３，Ｆｒｎ４を認識する。以下においては、認識されたフレームＦｒｎ１，Ｆｒｎ２，Ｆｒｎ３，Ｆｒｎ４の各々を、「認識フレーム」ともいう。
【００８６】
なお、画像処理部１０１ｂが認識した認識フレームを囲む枠を、フォトフレームに重ねて表示するようにしてもよい。そして、フレームが正しく認識されているか否かを確認するためのメニュー画像を表示してもよい。また、フレームが正しく認識されていない場合、ユーザーが、上記の枠の位置、当該枠の形状等を調整できるようにしてもよい。
【００８７】
次に、画像処理部１０１ｂは、サイズ算出処理を行う。サイズ算出処理では、画像処理部１０１ｂが、フレームを示す画像のデータに基づいて、当該フレームのサイズを算出する。前提Ｐｒ２ｂにおけるサイズ算出処理では、画像処理部１０１ｂが、フレームＦｒｎ１，Ｆｒｎ２，Ｆｒｎ３，Ｆｒｎ４を示す画像（フォトフレームＦｒｎ１０）のデータに基づいて、認識した各認識フレームのサイズを算出する。
【００８８】
画像処理部１０１ｂは、例えば、フォトフレームＦｒｎ１０のデータが示す前述の相対サイズ情報に基づいて、フレームＦｒｎ２の縦サイズおよび横サイズを算出する。
【００８９】
例えば、画像処理部１０１ｂは、フレームＦｒｎ２の縦サイズを、外縁サイズＳｚＲに含まれる、フォトフレームＦｒ１０ｄａの縦サイズの０．４倍として、算出する。また、例えば、画像処理部１０１ｂは、フレームＦｒｎ２の横サイズを、外縁サイズＳｚＲに含まれる、フォトフレームＦｒ１０ｄａの横サイズの０．４倍として、算出する。
【００９０】
画像処理部１０１ｂは、フレームＦｒｎ１，Ｆｒｎ３，Ｆｒｎ４の各々の縦サイズおよび横サイズについても、フレームＦｒｎ２と同様にして算出する。これにより、各認識フレームのサイズが算出される。
【００９１】
サイズ算出処理により算出された各認識フレームの縦サイズおよび横サイズは、各認識フレームの印刷用のサイズである。各認識フレームの印刷用のサイズとは、各認識フレームが用紙に印刷される場合における、当該各認識フレームの実際のサイズである。以下においては、各認識フレームの印刷用のサイズを、「認識印刷サイズ」ともいう。認識印刷サイズは、縦サイズおよび横サイズを含む。
【００９２】
各認識印刷サイズが算出された後、受付け部１０１ａは、各認識印刷サイズを受付ける。以下においては、受付け部１０１ａが受付けた認識印刷サイズを、「指定印刷サイズ」ともいう。すなわち、受付け部１０１ａは、フォトフレームＦｒ１０ｄａ（フォトフレームＦｒｎ１０）における各認識フレームの指定印刷サイズを受付ける。当該指定印刷サイズは、縦サイズおよび横サイズを含む。
【００９３】
なお、受付け部１０１ａが受付けた認識印刷サイズ（指定印刷サイズ）は、ユーザーにより指定された外縁サイズＳｚＲから算出されたサイズである。すなわち、受付け部１０１ａが受付けた認識印刷サイズ（指定印刷サイズ）は、ユーザーにより、間接的に指定されたサイズである。
【００９４】
受付け部１０１ａは、指定印刷サイズを示す指定印刷サイズデータを、記憶部１７０に記憶させる。これにより、記憶部１７０は、指定印刷サイズデータを記憶する。これにより、プリントシステム１０００に指定印刷サイズデータが登録される。以上により、前提Ｐｒ２ｂにおけるサイズ指定処理が終了する。
【００９５】
次に、ユーザーが、フレームのサイズを指定するための処理について説明する。ここで、以下の前提Ｐｒ２ｃを考慮する。前提Ｐｒ２ｃでは、前述の図３の画像Ｇ１１が表示された状態で、ユーザーにより、「ユーザーによる指定」が選択される。具体的には、前提Ｐｒ２ｃでは、ユーザーにより、ボタン画像Ｂ１１ｃを押下するための操作Ｔｕが行われる。
【００９６】
これにより、前提Ｐｒ２ｃにおけるサイズ指定処理では、表示部１１０が、図７の画像Ｇ４０を表示する。画像Ｇ４０は、複数の形状を、リスト形式で示す。複数の形状は、円、四角、ひし形等である。画像Ｇ４０では、リスト形式で示される複数の形状のいずれかを、ユーザーに選択させるための画像である。以下においては、ユーザーにより選択（指定）された形状を、「選択形状」ともいう。
【００９７】
前提Ｐｒ２ｃでは、例えば、ユーザーにより、フレームの形状として、「ひし形」を選択（指定）するための操作Ｔｕが行われる。すなわち、選択形状は、ひし形である。当該ひし形は、前述のフレームＦｒｎ２の形状である。
【００９８】
この場合、表示部１１０は、図７の画像Ｇ４１を表示する。画像Ｇ４１は、選択形状を有するフレーム（フレームＦｒｎ２）の印刷用のサイズの入力を要求するための画像である。選択形状を有するフレームの印刷用のサイズとは、当該フレームが用紙に印刷される場合における、当該フレームの実際のサイズである。
【００９９】
以下においては、選択形状を有するフレームの印刷用のサイズを、「フレーム印刷サイズ」ともいう。フレーム印刷サイズは、選択形状を有するフレームの縦サイズおよび横サイズを含む。
【０１００】
また、画像４１には、ボタン画像Ｂ４１ｎが示される。ボタン画像Ｂ４１ｎは、当該ボタン画像Ｂ４１ｎが示す数字を押下するための操作Ｔｕが行われることにより、フレーム印刷サイズを入力するためボタン画像である。
【０１０１】
また、前提Ｐｒ２ｃでは、ユーザーが、ボタン画像Ｂ４１ｎを利用して、フレームＦｒｎ２のフレーム印刷サイズを入力ための操作Ｔｕを行う。フレーム印刷サイズは、ユーザーにより指定（入力）されたサイズである。フレームＦｒｎ２のフレーム印刷サイズが入力された場合、受付け部１０１ａは、フレーム印刷サイズを受付ける。
【０１０２】
以下においては、受付け部１０１ａが受付けた、フレーム印刷サイズを、「指定印刷サイズ」ともいう。すなわち、受付け部１０１ａは、選択形状を有するフレームの指定印刷サイズを受付ける。当該指定印刷サイズは、縦サイズおよび横サイズを含む。
【０１０３】
受付け部１０１ａは、指定印刷サイズを示す指定印刷サイズデータを、記憶部１７０に記憶させる。これにより、記憶部１７０は、指定印刷サイズデータを記憶する。これにより、プリントシステム１０００に指定印刷サイズデータが登録される。
【０１０４】
また、受付け部１０１ａが指定印刷サイズを受付けた場合、表示部１１０が、図７の画像Ｇ４２を表示する。画像Ｇ４２は、別のフレームのサイズを設定するか否かを、ユーザーに問い合わせるための画像である。
【０１０５】
ユーザーが、選択形状を有するフレームと異なる別のフレームのサイズの設定を希望する場合、当該ユーザーはボタン画像Ｂ４２ａを押下するための操作Ｔｕを行う。この場合、表示部１１０が、再度、図７の画像Ｇ４０を表示する。一方、ユーザーが、選択形状を有するフレームと異なる別のフレームのサイズの設定を希望しない場合、当該ユーザーはボタン画像Ｂ４２ｂを押下するための操作Ｔｕを行う。
【０１０６】
ユーザーは、必要に応じて、四角、ひし形等の形状を有するフレームのサイズの設定を行うための操作Ｔｕを行う。以上により、前提Ｐｒ２ｃにおけるサイズ指定処理が終了する。
【０１０７】
なお、前提Ｐｒ２ａ、前提Ｐｒ２ｂまたは前提Ｐｒ２ｃにおけるサイズ指定処理により、指定印刷サイズデータを記憶した記憶部１７０は、外部からの指示により、指定印刷サイズデータを削除してもよい。
【０１０８】
例えば、ユーザーによる、当該指定印刷サイズデータを削除する操作Ｔｕが行われた場合、指定印刷サイズデータを記憶している記憶部１７０は、当該指定印刷サイズデータを削除する。すなわち、記憶部１７０は、指定印刷サイズデータを記憶する機能と、当該指定印刷サイズデータを削除する機能とを有する。
【０１０９】
また、当該プリントシステム１０００に、前提Ｐｒ２ｂまたは前提Ｐｒ２ｃにおけるサイズ指定処理において使用されたフォトフレームを示すフォトフレームデータを追加で登録できる構成としてもよい。フォトフレームデータの登録は、例えば、プリントシステム１０００が設置されている店舗において行われる。
【０１１０】
当該構成では、フォトフレームデータが、記憶部１７０に記憶される。また、記憶部１７０に記憶されたフォトフレームデータは、外部からの指示により、削除されてもよい。
【０１１１】
これにより、プリントシステム１０００が設置されている店舗において、販売促進の対象となるフォトフレームのデータが、プリントシステム１０００に登録されていなくても、当該店舗で事前に登録することが可能となる。また、フォトフレームのデータの登録を可能とすることにより、店舗で販売しているフォトフレームを利用した印刷物の販売を促進することもできる。
【０１１２】
前提Ｐｒ２ａ，Ｐｒ２ｂ，Ｐｒ２ｃのいずれかにおけるサイズ指定処理が終了した後、処理はステップＳ１３０へ移行する。
【０１１３】
ステップＳ１３０では、画像取得処理が行われる。画像取得処理では、表示部１１０が、図５の画像Ｇ３０を表示する。画像Ｇ３０は、プリントシステム１０００の状態を、通信可能状態にするための動作を、ユーザーが行うことを要求するメッセージを示す。通信対象物は、記録媒体Ｍ１または携帯端末４００である。
【０１１４】
ここで、以下の前提Ｐｒ３を考慮する。前提Ｐｒ３では、通信対象物が、予め、複数の画像を記憶している。以下においては、前提Ｐｒ３において、通信対象物が記憶している複数の画像の各々を、「記憶画像」ともいう。当該記憶画像は、ユーザーが所有している画像である。なお、当該記憶画像は、前述の前提Ｐｒ２ｂにおけるサイズ指定処理における、フォトフレームとして使用される画像（例えば、図５のフォトフレームＦｒ１０ａ）とは異なる画像である。
【０１１５】
画像Ｇ３０が表示された場合、ユーザーは、プリントシステム１０００の状態を、通信可能状態にするための動作Ｍｃを行う。当該動作Ｍｃは、前述の記録媒体挿入動作または携帯端末接続動作である。
【０１１６】
動作Ｍｃが行われ、プリントシステム１０００の状態が通信可能状態の状態になった場合、画像取得部１３０が、通信対象物（記録媒体Ｍ１または携帯通信端末４００）から複数の記憶画像を読み出すことにより、当該複数の記憶画像を取得する。
【０１１７】
以下においては、前提Ｐｒ２ａ，Ｐｒ２ｂ，Ｐｒ２ｃのいずれかにおけるサイズ指定処理が終了した時点において、サイズが設定されているフレームを、「設定済フレーム」ともう。前提Ｐｒ２ａまたは前提Ｐｒ２ｂにおけるサイズ指定処理が行われた場合、設定済フレームは、例えば、フレームＦｒｎ１，Ｆｒｎ２，Ｆｒｎ３，Ｆｒｎ４である。また、前提Ｐｒ２ｃにおけるサイズ指定処理が行われた場合、設定済フレームは、例えば、フレームＦｒｎ２である。
【０１１８】
次に、処理はステップＳ１４０へ移行する。ステップＳ１４０では、表示処理Ａが行われる。表示処理Ａは、取得された全ての記憶画像と、全ての設定済フレームとが表示される処理である。
【０１１９】
ここで、以下の前提Ｐｒ４を考慮する。前提Ｐｒ４では、取得された全ての記憶画像は、図８の画像Ｇ５０が示す画像Ｇ１ａ，Ｇ１ｂ，Ｇ１ｃ，Ｇ１ｄである。また、前提Ｐｒ４では、全ての設定済フレームは、図８の画像Ｇ５０が示す、フレームＦｒｎ１，Ｆｒｎ２である。
【０１２０】
また、前提Ｐｒ４では、画像処理部１０１ｂが、設定済フレームとしてのフレームＦｒｎ１，Ｆｒｎ２を示すフォトフレームＦｒ２０を生成する。また、前提Ｐｒ４では、画像処理部１０１ｂが、画像Ｇ１ａ，Ｇ１ｂ，Ｇ１ｃ，Ｇ１ｄと、フォトフレームＦｒ２０とを示す画像Ｇ５０を生成する。
【０１２１】
前提Ｐｒ４における表示処理Ａでは、表示部１１０が、画像処理部１０１ｂが生成した、図８の画像Ｇ５０を表示する。画像Ｇ５０に示される画像Ｇ１ａ，Ｇ１ｂ，Ｇ１ｃ，Ｇ１ｄの各々は、ユーザーによる移動操作Ｍｕ１により、当該画像Ｇ５０内の任意の位置へ移動させることが可能な画像である。当該移動操作Ｍｕ１は、例えば、ドラッグ・アンド・ドロップにより、画像を移動させるための操作Ｔｕである。
【０１２２】
また、画像Ｇ１ａ，Ｇ１ｂ，Ｇ１ｃ，Ｇ１ｄの各々は、ユーザーによるサイズ変更操作Ｍｕ２により、任意のサイズに変更可能な画像である。当該サイズ変更操作Ｍｕ２は、ピンチイン操作またはピンチアウト操作である。
【０１２３】
ピンチイン操作は、画像を縮小するための操作（以下、「画像縮小操作」ともいう）である。ピンチイン操作は、例えば、タッチパネルに表示される画像に２本の指を接触させた状態で、当該２本の指を互いに近づける操作である。ピンチアウト操作は、画像を拡大するための操作（以下、「画像拡大操作」ともいう）である。ピンチアウト操作は、例えば、タッチパネルに表示される画像に２本の指を接触させた状態で、当該２本の指の間隔を大きくする操作である。
【０１２４】
また、画像Ｇ１ａ，Ｇ１ｂ，Ｇ１ｃ，Ｇ１ｄの各々は、ユーザーによる回転操作Ｍｕ３により、回転自在な画像である。回転操作Ｍｕ３は、例えば、タッチパネルに表示される画像に２本の指を接触させた状態で、当該２本の指を、時計まわり方向または反時計まわり方向に回転させる操作である。
【０１２５】
次に、処理はステップＳ１５０へ移行する。ステップＳ１５０では、画像処理が行われる。画像処理では、移動操作Ｍｕ１、サイズ変更操作Ｍｕ２、回転操作Ｍｕ３等に応じて、画像処理部１０１ｂが、画像の移動、画像の加工等を行う。
【０１２６】
以下においては、ユーザーが印刷を望む画像を、「印刷対象画像」ともいう。印刷対象画像は、印刷対象の画像である。詳細は後述するが、プリントシステム１０００は、フレームを使用して、印刷対象画像を印刷する。また、以下においては、印刷対象画像に、フレームが合成された当該印刷対象画像を、「合成画像」ともいう。
【０１２７】
ここで、以下の前提Ｐｒ５を考慮する。前提Ｐｒ５では、印刷対象画像は、画像Ｇ１ａ，Ｇ１ｄである。また、前提Ｐｒ５では、表示部１１０が、画像Ｇ１ａ，Ｇ１ｂ，Ｇ１ｃ，Ｇ１ｄを示す画像Ｇ５０を表示している状態で、以下の移動操作Ｍｕ１が行われる。
【０１２８】
前提Ｐｒ５における移動操作Ｍｕ１は、画像Ｇ１ａをフレームＦｒｎ１の位置まで移動させる操作と、画像Ｇ１ｄをフレームＦｒｎ２の位置まで移動させる操作とを含む。
【０１２９】
前提Ｐｒ５における移動操作Ｍｕ１が行われた場合、画像処理部１０１ｂは、合成画像としてのフォトフレームＦｒ２０ａを生成する。フォトフレームＦｒ２０ａは、画像Ｇ１ａにフレームＦｒｎ１を合成し、かつ、画像Ｇ１ｄにフレームＦｒｎ２を合成した状態を示すフォトフレームである。
【０１３０】
画像処理部１０１ｂは、フォトフレームＦｒ２０ａを生成する際に、移動操作Ｍｕ１に応じた画像処理を行う。具体的には、画像処理部１０１ｂは、印刷対象画像である画像Ｇ１ａ，Ｇ１ｄに、それぞれ、フレームＦｒｎ１，Ｆｒｎ２を合成する。つまり、画像処理部１０１ｂは、印刷対象画像（画像Ｇ１ａ，Ｇ１ｄ）に、フレーム（フレームＦｒｎ１，Ｆｒｎ２）を合成する。この場合、フレームＦｒｎ１，Ｆｒｎ２は、印刷対象画像に合成するためのフレームである。
【０１３１】
なお、フレームＦｒｎ１，Ｆｒｎ２は、前提Ｐｒ２ｂにおけるサイズ指定処理の前述の認識処理により、画像処理部１０１ｂが認識したフレームであってもよい。この場合、画像処理部１０１ｂは、印刷対象画像である画像Ｇ１ａ，Ｇ１ｄに、それぞれ、認識されたフレームＦｒｎ１，Ｆｒｎ２を合成する。すなわち、画像処理部１０１ｂは、印刷対象画像に、認識されたフレームを合成する。
【０１３２】
また、画像処理部１０１ｂは、フォトフレームＦｒ２０ａ（合成画像）を示す、図８の画像Ｇ５１を生成する。
【０１３３】
そして、前提Ｐｒ５における移動操作Ｍｕ１が行われた場合、前提Ｐｒ５における画像処理では、表示部１１０が、画像処理部１０１ｂが生成した、図８の画像Ｇ５１を表示する。ここで、画像Ｇ１ａは、例えば、太陽および人間を示す画像である。
【０１３４】
なお、画像Ｇ５１のフォトフレームＦｒ２０ａにおいて、画像Ｇ１ａが示す太陽、および、画像Ｇ１ａが示す人間の腕の全体は、フレームＦｒｎ１内に入っていない。そこで、フレームＦｒｎ１内に、太陽、および、人間の腕の全体が入るよう、画像Ｇ１ａのサイズの調整、画像Ｇ１ａの位置の調整等を行うための操作Ｔｕが行われる。
【０１３５】
また、画像Ｇ１ｄは、家と、３人の人間とを示す。当該３人の人間は、隣接した２人の人間を含む。なお、画像Ｇ５１のフォトフレームＦｒ２０ａにおいて、画像Ｇ１ｄに示される、被写体（家、３人の人間）は、左斜め上方向に沿って、傾いている。また、隣接した２人の人間は、フレームＦｒｎ２内に入っていない。
【０１３６】
そこで、画像Ｇ１ｄの被写体の傾きを補正する操作が行われる。また、画像Ｇ１ｄにおける隣接した２人の人間が、フレームＦｒｎ２の中心部に配置されるよう、当該画像Ｇ１ｄを移動させる操作Ｔｕが行われる。また、フレームＦｒｎ２に、当該２人の人間のみが入るように、画像Ｇ１ｄを拡大するための操作Ｔｕが行われる。
【０１３７】
具体的には、前提Ｐｒ５では、図８の画像Ｇ５１が表示された状態で、ユーザーにより、以下の操作Ｍｕ１１および操作Ｍｕ１２が行われる。
【０１３８】
前提Ｐｒ５における操作Ｍｕ１１は、フレームＦｒｎ１内に、画像Ｇ１ａが示す太陽および人間の腕を入れるための操作Ｔｕである。操作Ｍｕ１１は、画像Ｇ１ａ全体を縮小する画像縮小操作（サイズ変更操作Ｍｕ２）と、画像Ｇ１ａが示す太陽および人間の位置を調整するための移動操作Ｍｕ１とを含む。
【０１３９】
操作Ｍｕ１２は、隣接した２人の人間のみを、フレームＦｒｎ２内に入れるための操作Ｔｕである。操作Ｍｕ１２は、画像Ｇ１ｄの被写体（家、３人の人間）の傾きを補正するために、画像Ｇ１ｄを時計まわり方向に回転させる回転操作Ｍｕ３を含む。また、操作Ｍｕ１２は、画像Ｇ１ｄにおける隣接した２人の人間が、フレームＦｒｎ２の中心部に配置されるよう、当該画像Ｇ１ｄを移動させるための移動操作Ｍｕ１を含む。また、操作Ｍｕ１２は、フレームＦｒｎ２に、当該２人の人間のみが入るように、画像Ｇ１ｄ全体を拡大する画像拡大操作（サイズ変更操作Ｍｕ２）を含む。
【０１４０】
なお、ユーザーは、必要に応じて、印刷対象画像の色目等の調整を行うための操作Ｔｕを行ってもよい。
【０１４１】
前提Ｐｒ５における操作Ｍｕ１１および操作Ｍｕ１２が行われた場合、画像処理部１０１ｂは、合成画像であるフォトフレームＦｒ２０ｂを生成する。フォトフレームＦｒ２０ｂは、フレームＦｒｎ１内に画像Ｇ１ａが示す太陽および人間が配置された構成を示す。また、フォトフレームＦｒ２０ｂは、フレームＦｒｎ２内に、画像Ｇ１ｄが示す隣接した２人の人間のみが配置された構成を示す。
【０１４２】
画像処理部１０１ｂは、フォトフレームＦｒ２０ｂを生成する際、印刷対象画像である画像Ｇ１ａ，Ｇ１ｄの各々に対し、操作Ｍｕ１１および操作Ｍｕ１２の各々に応じた画像処理を行う。画像処理部１０１ｂは、例えば、印刷対象画像である画像Ｇ１ａ全体を縮小する。また、画像処理部１０１ｂは、例えば、印刷対象画像である画像Ｇ１ｄ全体を拡大する。すなわち、画像処理部１０１ｂは、印刷対象画像（例えば、画像Ｇ１ａ）を加工する。
【０１４３】
また、画像処理部１０１ｂは、フォトフレームＦｒ２０ｂ（合成画像）を示す、図８の画像Ｇ５２を生成する。そして、表示部１１０は、画像処理部１０１ｂが生成した、図８の画像Ｇ５２を表示する。以上により、前提Ｐｒ５における画像処理は終了する。
【０１４４】
以下においては、図８の画像Ｇ５２が示すフォトフレームＦｒ２０ｂのフレームＦｒｎ１、および、当該フレームＦｒｎ１内に示される画像の両方を示す画像を、「フレーム画像ＧＦｒ１」ともいう。また、以下においては、図８の画像Ｇ５２が示すフォトフレームＦｒ２０ｂのフレームＦｒｎ２、および、当該フレームＦｒｎ２内に示される画像の両方を示す画像を、「フレーム画像ＧＦｒ２」ともいう。
【０１４５】
また、以下においては、画像処理により生成されたフォトフレームが示すフレームと、当該フレーム内に配置された画像とを示す画像を、「フレーム画像」ともいう。フレーム画像は、印刷対象画像である。また、フレーム画像は、合成画像でもある。フレーム画像は、例えば、フレーム画像ＧＦｒ１，ＧＦｒ２である。
【０１４６】
次に、処理はステップＳ１６０へ移行する。ステップＳ１６０では、印刷枚数設定処理が行われる。印刷枚数設定処理は、印刷対象画像の印刷枚数を設定するための処理である。印刷枚数とは、印刷対象画像を印刷する用紙の数である。
【０１４７】
前述したように、プリントシステム１０００は、複数種類の規定サイズの用紙を有する。すなわち、プリントシステム１０００が、合成画像（印刷対象画像）を印刷可能な用紙のサイズは予め決まっている。当該用紙のサイズは、規定サイズである。当該規定サイズは、前述したように、例えば、ＤＳＣサイズ、ＫＧサイズ、Ｌ判サイズ、２Ｌ判サイズ等である。
【０１４８】
以下においては、前述の処理により、受付け部１０１ａが受付けた指定印刷サイズを、「指定印刷サイズＳｚＤ」または「ＳｚＤ」ともいう。指定印刷サイズＳｚＤは、縦サイズおよび横サイズを含む。
【０１４９】
前提Ｐｒ５における印刷枚数設定処理では、まず、特定部１０１ｃが、サイズ特定処理を行う。以下においては、指定印刷サイズを有する合成画像を印刷可能な用紙を、「印刷可能用紙」ともいう。また、以下においては、印刷可能用紙のサイズを、「印刷可能サイズＳｚＰ」または「ＳｚＰ」ともいう。印刷可能サイズＳｚＰは、縦サイズおよび横サイズを含む。
【０１５０】
サイズ特定処理では、特定部１０１ｃが、印刷可能用紙のサイズ（印刷可能サイズＳｚＰ）を特定する。具体的には、サイズ特定処理では、特定部１０１ｃが、以下のサイズ条件Ｊ１および用紙条件Ｊ２を満たす、印刷可能サイズＳｚＰを特定する。
【０１５１】
ここで、前述の前提Ｐｒ５を含む、以下の前提Ｐｒ５ａを考慮する。前提Ｐｒ５ａでは、印刷対象画像としてのｋ枚の合成画像は、フレーム画像ＧＦｒ１，ＧＦｒ２である。当該「ｋ」は、１以上の整数である。また、フレーム画像ＧＦｒ１，ＧＦｒ２の各々に対応する指定印刷サイズＳｚＤは同じである。
【０１５２】
また、前提Ｐｒ５ａでは、指定印刷サイズＳｚＤの縦サイズは９０ミリであり、指定印刷サイズＳｚＤの横サイズは７０ミリである。また、前提Ｐｒ５ａでは、プリントシステム１０００が有する、複数種類の規定サイズの用紙は、例えば、ＤＳＣサイズを有する用紙、および、ＫＧサイズを有する用紙である。
【０１５３】
なお、ＤＳＣサイズの横サイズは８９ミリであり、ＤＳＣサイズの縦サイズは１１９ミリである。また、ＫＧサイズの横サイズは１０２ミリであり、ＫＧサイズの縦サイズは１５２ミリである。
【０１５４】
また、前提Ｐｒ５ａでは、サイズ条件Ｊ１は、指定印刷サイズＳｚＤの縦サイズが印刷可能サイズＳｚＰの縦サイズより小さいという条件である。また、前提Ｐｒ５ａでは、サイズ条件Ｊ１は、指定印刷サイズＳｚＤの横サイズが印刷可能サイズＳｚＰの横サイズより小さいという条件である。
【０１５５】
また、前提Ｐｒ５ａでは、用紙条件Ｊ２は、プリントシステム１０００が有する複数種類の規定サイズの用紙のうち、上記のサイズ条件Ｊ１を満たす全ての規定サイズの用紙が、印刷可能用紙であるという条件である。
【０１５６】
前提Ｐｒ５ａにおけるサイズ特定処理では、特定部１０１ｃが、サイズ条件Ｊ１および用紙条件Ｊ２を満たす印刷可能サイズＳｚＰとして、ＤＳＣサイズおよびＫＧサイズを特定する。
【０１５７】
サイズ特定処理の後、特定部１０１ｃは、用紙数特定処理を行う。以下においては、ｋ枚の合成画像を、サイズ特定処理で特定された印刷可能サイズＳｚＰを有する用紙で印刷するために必要な当該用紙の数を、「用紙数Ｐｓ」ともいう。
【０１５８】
用紙数特定処理では、特定部１０１ｃは、用紙数Ｐｓを特定する。
【０１５９】
ここで、前提Ｐｒ５ａでは、印刷対象画像としてのｋ枚の合成画像は、フレーム画像ＧＦｒ１，ＧＦｒ２である。そのため、合成画像の数は、２である。また、前提Ｐｒ５ａでは、サイズ特定処理で特定された印刷可能サイズＳｚＰは、ＤＳＣサイズおよびＫＧサイズである。
【０１６０】
そのため、前提Ｐｒ５ａにおける用紙数特定処理では、ＤＳＣサイズの用紙、および、ＫＧサイズの用紙の各々について、用紙数Ｐｓを算出する。
【０１６１】
まず、特定部１０１ｃは、ＤＳＣサイズの用紙に対応する用紙数Ｐｓとして、２を特定する。この場合、後述の処理により、図９（ａ）および図９（ｂ）のように、例えば、フレーム画像ＧＦｒ１，ＧＦｒ２が、２枚のＤＳＣサイズの用紙に印刷される。
【０１６２】
なお、１枚のＫＧサイズの用紙には、指定印刷サイズＳｚＤを有するフレーム画像ＧＦｒ１，ＧＦｒ２を横に並べて配置することが可能である。そのため、前提Ｐｒ５ａにおける用紙数特定処理では、特定部１０１ｃが、ＫＧサイズの用紙に対応する用紙数Ｐｓとして、１を特定する。この場合、後述の処理により、図９（ｃ）のように、フレーム画像ＧＦｒ１，ＧＦｒ２が、１枚のＫＧサイズの用紙に印刷される。
【０１６３】
印刷枚数設定処理では、さらに、用紙数特定処理の後、用紙数提示処理が行われる。用紙数提示処理では、ｋ枚の画像を、印刷可能サイズＳｚＰを有する用紙で印刷する場合における、用紙数Ｐｓを表示部１１０に表示する。
【０１６４】
前提Ｐｒ５ａにおける用紙数提示処理では、表示部１１０が、用紙数メッセージおよび選択要求メッセージを表示する。用紙数メッセージは、例えば、「ＤＳＣサイズの用紙の場合、必要な用紙数は２枚です。ＫＧサイズの用紙の場合、必要な用紙数は１枚です。」というメッセージである。また、選択要求メッセージは、例えば、ＤＳＣサイズの用紙およびＫＧサイズの用紙のいずれで印刷するか選択してくだざい。」というメッセージである。
【０１６５】
上記の用紙数メッセージおよび選択要求メッセージが表示された場合、ユーザーは、用紙選択操作を行う。用紙選択操作は、印刷対象の用紙として、ＤＳＣサイズの用紙およびＫＧサイズの用紙のいずれかを選択するための操作Ｔｕである。
【０１６６】
以下においては、用紙選択操作により選択された用紙を、「選択用紙」ともいう。選択用紙は、例えば、ＤＳＣサイズの用紙である。そして、受付け部１０１ａは、選択用紙を特定する情報と、当該選択用紙に対応する用紙数Ｐｓを受付ける。これにより、印刷枚数設定処理は終了する。
【０１６７】
なお、前提Ｐｒ５ａにおける印刷枚数設定処理では、例えば、選択用紙がＤＳＣサイズの用紙である場合、フレーム画像ＧＦｒ１，ＧＦｒ２の各々の印刷枚数を、ユーザーが設定する構成としてもよい。当該構成では、フレーム画像ＧＦｒ１，ＧＦｒ２の各々の印刷枚数を同じとする処理、および、フレーム画像ＧＦｒ１，ＧＦｒ２毎に印刷枚数を設定する処理のいずれかを行うかを、ユーザーに選択させるようにしてもよい。
【０１６８】
次に、ユーザーは、プリントシステム１０００による指示に従い、料金精算器１４０に設けられた料金投入口に料金を投入する。これにより、料金精算器１４０は、料金を取得する（Ｓ１７０）。
【０１６９】
料金精算器１４０により取得される料金は、印刷対象画像を印刷するための料金である。なお、当該料金は、制御部１０１が算出する。
【０１７０】
料金が取得されると、ステップＳ１８０の印刷処理が行われる。印刷処理では、印刷部１５０が、印刷対象画像である合成画像を、用紙に印刷する。
【０１７１】
前提Ｐｒ５ａにおける印刷処理では、印刷部１５０が、合成画像を、指定印刷サイズＳｚＤで、選択用紙に印刷する。合成画像は、フレーム画像ＧＦｒ１，ＧＦｒ２である。
【０１７２】
ここで、選択用紙は、ＤＳＣサイズの用紙であると仮定する。この場合、前提Ｐｒ５ａにおける印刷処理では、印刷部１５０は、指定印刷サイズＳｚＤを有するフレーム画像ＧＦｒ１をＤＳＣサイズの用紙に印刷し、指定印刷サイズＳｚＤを有するフレーム画像ＧＦｒ２をＤＳＣサイズの用紙に印刷する。
【０１７３】
以下においては、画像（印刷対象画像）が印刷された用紙を、「印刷物」ともいう。そして、プリントシステム１０００は、印刷物を外部に排出する（Ｓ１９０）。これにより、ユーザーは、印刷物を受け取る。そして、この画像印刷処理は終了する。
【０１７４】
次に、通常印刷が選択された場合の処理について簡単に説明する。図３の画像Ｇ１０が表示されている状態で、ユーザーにより、ボタン画像Ｂ１０ａを押下するための操作Ｔｕが行われた場合、画像取得処理が行われる（Ｓ１３０Ｎ）。当該画像取得処理は、ステップＳ１３０の画像取得処理と同様な処理である。この場合、ユーザーは、プリントシステム１０００の状態を、通信可能状態にするための動作Ｍｃを行う。これにより、画像取得部１３０は、複数の画像を取得する。
【０１７５】
そして、表示部１１０は、取得した複数の画像を表示する表示処理Ｎ（Ｓ１４０Ｎ）を行う。次に、ユーザーは、表示されている複数の画像の少なくとも一部の画像を、印刷対象画像として選択する（Ｓ１５０Ｎ）。そして、プリントシステム１０００は、前述のステップＳ１６０からＳ１９０と同様な処理を行う。これにより、印刷対象画像が印刷された用紙である印刷物を、ユーザーは得ることができる。
【０１７６】
以上説明したように、本実施の形態によれば、印刷部１５０は、印刷対象画像に、フレームが合成された合成画像（フレーム画像ＧＦｒ１，ＧＦｒ２）を、ユーザーにより指定された指定印刷サイズで、用紙に印刷する。
【０１７７】
これにより、画像を印刷するためのサイズの自由度を向上させたプリントシステムを提供することができる。
【０１７８】
また、本実施の形態によれば、ユーザーが指定した画像（印刷対象画像）、または、当該画像の一部を、ユーザーが指定した任意のサイズで、用紙に印刷することができる。また、一般の規定サイズ（例えば、ＤＳＣサイズ、ＫＧサイズ）と異なるサイズの写真を飾るためのフォトフレーム製品に、ユーザーが当該写真を飾る場合、印刷対象のフレームのサイズをユーザーが設定できる。また、ユーザーが、必要に応じて、印刷対象画像に対し加工を行うことができる。当該加工は、拡大、縮小、回転等の処理である。
【０１７９】
したがって、フレームが合成された印刷対象画像を、最適なサイズで、用紙に印刷することを容易に行うことができる。すなわち、ユーザーが指定する画像を、任意のサイズで、用紙に印刷することを簡単に行うことができる。
【０１８０】
また、本実施の形態によれば、規定サイズと異なるサイズの写真を飾るためのフォトフレーム製品、または、四角と異なる形状（円、ひし形）の枠が設けられたフォトフレーム製品に、ユーザーが写真を飾る場合、ユーザーは、以下のことを行うことができる。
【０１８１】
例えば、ユーザーは、印刷対象のフレームのサイズを設定できる。また、ユーザーは、設定したフレームに、ユーザーが選択した印刷対象画像を配置することができる。また、ユーザーは、必要に応じて、印刷対象画像に対し加工を行うことができる。したがって、フレームが合成された印刷対象画像を、フォトフレーム製品に飾るための用紙に、最適なサイズで、印刷することが可能となる。
【０１８２】
また、ユーザーは、任意の形状およびサイズのフレームを設定できる。そのため、既存のフォトフレーム製品以外の製品（以下、「製品Ｐｄ」ともいう）に写真を飾ることができる。
【０１８３】
製品Ｐｄは、写真を飾ることが可能な様々な製品である。製品Ｐｄは、例えば、ユーザーが自作したフォトフレーム製品である。製品Ｐｄは、例えば、透過性を有する文字盤の背面に写真を飾ることが可能な時計である。また、フレームが合成された印刷対象画像を、製品Ｐｄに適したサイズで、用紙に印刷できる。
【０１８４】
このように、画像を、ユーザー任意の形状およびサイズ印刷できる構成、および、画像を加工して印刷できる構成は、さまざまな用途に応用することができる。
【０１８５】
また、本実施の形態では、プリントシステム１０００は、複数のフォトフレーム製品データを予め記憶している。そのため、ユーザーは、所望のフォトフレームを選択するための操作を行うだけでよい。これにより、複数のフォトフレーム製品データのうち、選択された所望のフォトフレームに対応する、フレームのサイズ等を示すフォトフレーム製品データが選択される。そのため、ユーザーがフレームのサイズを設定する手間を削減することができる。
【０１８６】
また、本実施の形態では、ユーザーが所有している画像を、フォトフレームとして使用する場合、前述の認識処理およびサイズ算出処理により、当該画像からフレームのサイズを算出する。例えば、サイズ算出処理では、画像処理部１０１ｂが、フレームを示す画像（フォトフレーム）のデータに基づいて、当該フレームのサイズを算出する。
【０１８７】
そのため、ユーザーは、複数のフレームのサイズを、設定する必要がない。そのため、フォトフレーム製品に飾るための用紙に、最適なサイズで印刷することを容易に行うことができる。
【０１８８】
また、本実施の形態では、プリントシステム１０００に、指定印刷サイズデータを追加登録できる。そのため、登録された指定印刷サイズデータが示すサイズを、ユーザーが、再度、設定する手間を削減することができる。
【０１８９】
また、本実施の形態では、サイズ特定処理において、特定部１０１ｃが、印刷可能サイズＳｚＰを特定する。印刷可能サイズＳｚＰは、指定印刷サイズを有する合成画像を印刷可能な印刷可能用紙のサイズである。また、特定部１０１ｃは、ｋ枚の合成画像を、サイズ特定処理で特定された印刷可能サイズＳｚＰを有する用紙で印刷するために必要な当該用紙の数（用紙数Ｐｓ）を特定する。これにより、ユーザーは、画像を印刷するための用紙を考える必要は無い。
【０１９０】
以上、本実施の形態によれば、プリントシステム１０００が備える用紙のサイズに依存せず、さまざまなフレームが設けられたフォトフレーム製品に飾るための、最適なサイズの印刷物を提供することができる。
【０１９１】
なお、前述の関連技術Ａでは、プリントシステムとしてのプリント自動販売機が有する印刷パターンを利用して画像を加工する。なお、ユーザーは、プリント自動販売機が有する複数の印刷パターンから選択された印刷パターンを使用すれば、好みの加工を施した印刷物を得ることはできる。
【０１９２】
しかしながら、関連技術Ａでは、画像における、ユーザーが印刷したい範囲を、ユーザーが希望するサイズで印刷できない。そのため、例えば、ユーザーが、一般のプリントサイズ（例えば、ＤＳＣサイズ、ＫＧサイズ）と異なるサイズの写真を飾るためのフォトフレーム製品に、ユーザーが当該写真を飾る場合、フォトフレーム製品に合った最適なサイズで、画像を印刷することができないという問題があった。
【０１９３】
画像を、フォトフレーム製品に合った最適なサイズで印刷するためには、ユーザーは、当該画像を加工する加工操作を行う必要がある。加工操作は、例えば、フレームのサイズ、用紙のサイズ、露出領域等に基づいた操作である。露出領域は、写真のうち、フォトフレーム製品の枠から外部に露出させる領域である。
【０１９４】
また、加工操作は、画像に対し、拡大、縮小、位置調整等の加工を行うための操作である。すなわち、加工操作は、かなり煩雑な操作である。つまり、フォトフレーム製品に合った最適なサイズで印刷するためには、ユーザーは、煩雑な操作を行う必要があるという問題がある。
【０１９５】
そこで、本実施の形態のプリントシステム１０００は上記のように構成されるため、上記の問題を解決することができる。
【０１９６】
＜実施の形態１の変形例１＞
本実施の形態の変形例１の構成は、合成画像を、当該指定印刷サイズＳｚＤより大きいサイズで、用紙に印刷する構成（以下、「構成Ｃｔ１」ともいう）である。構成Ｃｔ１におけるプリントシステムは、実施の形態１のプリントシステム１０００である。
【０１９７】
以下においては、指定印刷サイズＳｚＤより大きいサイズを、「大サイズＳｚＬ」または「ＳｚＬ」ともいう。大サイズＳｚＬは、縦サイズおよび横サイズを含む。大サイズＳｚＬは、構成Ｃｔ１における、合成画像の印刷用のサイズである。合成画像の印刷用のサイズとは、合成画像が用紙に印刷される場合における、当該合成画像の実際のサイズである。
【０１９８】
また、以下においては、大サイズＳｚＬを有する合成画像を、「拡大合成画像」ともいう。また、以下においては、指定印刷サイズＳｚＤを有する合成画像を、「元合成画像」ともいう。
【０１９９】
構成Ｃｔ１では、実施の形態１の処理と比較して、図２のステップＳ１８０（印刷処理）のみが異なる。なお、図２におけるそれ以外の処理は、実施の形態１と同様なので説明は省略する。
【０２００】
構成Ｃｔ１が適用されたステップＳ１８０（印刷処理）では、詳細は後述するが、印刷部１５０は、合成画像を、大サイズＳｚＬで、用紙に印刷する。すなわち、印刷部１５０は、拡大合成画像を、用紙に印刷する。
【０２０１】
以下においては、大サイズＳｚＬを有するフレーム画像ＧＦｒ１を、「フレーム画像ＧＦｒ１ａ」ともいう。また、以下においては、大サイズＳｚＬを有するフレーム画像ＧＦｒ２を、「フレーム画像ＧＦｒ２ａ」ともいう。フレーム画像ＧＦｒ１ａ，ＧＦｒ２ａの各々は、拡大合成画像である。
【０２０２】
なお、図９（ａ）には輪郭線Ｌ１が示される。輪郭線Ｌ１は、指定印刷サイズＳｚＤを有するフレーム画像ＧＦｒ１（元合成画像）の輪郭を示す線である。また、図９（ｂ）には輪郭線Ｌ２が示される。輪郭線Ｌ２は、指定印刷サイズＳｚＤを有するフレーム画像ＧＦｒ２（元合成画像）の輪郭を示す線である。輪郭線Ｌ１，Ｌ２の各々は、例えば、フォトフレーム製品に設けられる枠（製品内フレーム）の輪郭を示す線である。
【０２０３】
また、拡大合成画像の形状は、元合成画像の形状と同じである。例えば、図９（ｂ）における、拡大合成画像であるフレーム画像ＧＦｒ２ａの形状は、元合成画像の輪郭を示す輪郭線Ｌ２の形状と同じである。
【０２０４】
以下においては、元合成画像の中心から当該元合成画像の外部に向かう方向を、「方向Ｄｒ１」ともいう。方向Ｄｒ１は、元合成画像の内部から当該元合成画像の外部に向かう方向でもある。
【０２０５】
また、以下においては、１ミリから９ミリの範囲に含まれる距離を、「距離Ｄｔ１」または「Ｄｔ１」ともいう。拡大合成画像は、元合成画像の周縁が、方向Ｄｒ１へ、距離Ｄｔ１だけ移動するように、当該元合成画像を拡大した画像である。
【０２０６】
ここで、拡大合成画像は、例えば、図９（ｂ）のフレーム画像ＧＦｒ２ａであると仮定する。この場合、フレーム画像ＧＦｒ２ａ（拡大合成画像）は、元合成画像の周縁である輪郭線Ｌ２が、方向Ｄｒ１へ、距離Ｄｔ１だけ移動するように、当該元合成画像を拡大した画像である。当該元合成画像は、指定印刷サイズＳｚＤを有するフレーム画像ＧＦｒ２である。
【０２０７】
構成Ｃｔ１が適用されたステップＳ１８０（印刷処理）では、まず、画像処理部１０１ｂが、元合成画像を拡大して、拡大合成画像を生成する。そして、印刷部１５０は、拡大合成画像を、用紙に印刷する。
【０２０８】
ここで、例えば、前述の前提Ｐｒ５ａにおける用紙数提示処理が行われ、かつ、選択用紙としてＤＳＣサイズの用紙が選択されたと仮定する。また、拡大合成画像は、例えば、図９（ｂ）のフレーム画像ＧＦｒ２ａであると仮定する。
【０２０９】
この場合、構成Ｃｔ１が適用されたステップＳ１８０（印刷処理）が行われることにより、図９（ｂ）が示す印刷物Ｐ２０のうち、輪郭線Ｌ２と後述の切り取り線Ｌｃ２とが表示されていない印刷物Ｐ２０が得られる。なお、当該印刷物Ｐ２０が示すフレーム画像ＧＦｒ２ａの輪郭は、実線で示される。また、当該フレーム画像ＧＦｒ２ａのサイズは、大サイズＳｚＬである。
【０２１０】
また、例えば、前述の前提Ｐｒ５ａにおける用紙数提示処理が行われ、かつ、選択用紙としてＫＧサイズの用紙が選択されたと仮定する。また、拡大合成画像は、例えば、図９（ｃ）のフレーム画像ＧＦｒ１ａ，ＧＦｒ２ａであると仮定する。
【０２１１】
この場合、構成Ｃｔ１が適用されたステップＳ１８０（印刷処理）が行われることにより、図９（ｃ）が示す印刷物Ｐ３０のうち、輪郭線Ｌ１，Ｌ２と後述の切り取り線Ｌｃ３とが表示されていない印刷物Ｐ３０が得られる。なお、当該印刷物Ｐ３０が示すフレーム画像ＧＦｒ１ａ，ＧＦｒ２ａの輪郭は、実線で示される。また、当該フレーム画像ＧＦｒ１ａ，ＧＦｒ２ａの各々のサイズは、大サイズＳｚＬである。
【０２１２】
以上説明したように、本実施の形態の変形例１によれば、印刷部１５０は、フレームが合成された合成画像を、指定印刷サイズＳｚＤより大きい大サイズＳｚＬで、用紙に印刷する。これにより、ユーザーが、フォトフレーム製品に写真（例えば、印刷物Ｐ２０）を飾る場合、フォトフレーム製品に設けられる枠（製品内フレーム）から余白が見えることを抑制することができる。そのため、ユーザーが、写真をフォトフレーム製品に入れる作業が容易となる。
【０２１３】
ここで、仮に、印刷部１５０が、合成画像を、指定印刷サイズＳｚＤで、用紙に印刷したと仮定する。また、ユーザーが、当該合成画像が印刷された写真（用紙）が少し傾いた状態で、当該写真を、フォトフレーム製品に入れたとする。この場合、フォトフレーム製品に設けられる枠（製品内フレーム）から余白が見えるという状況（以下、「状況Ｘ１」ともいう）が発生しやすくなる。
【０２１４】
一方、本実施の形態では、上記の構成Ｃｔ１が適用された印刷処理が行われることにより、状況Ｘ１が発生することを抑制することができる。
【０２１５】
なお、枠（製品内フレーム）を有するフォトフレーム製品には、様々な製品が存在する。例えば、フォトフレーム製品は、当該フォトフレーム製品に設けられた枠のサイズと同じサイズ（指定印刷サイズＳｚＤ）の合成画像が印刷された写真しか入らない構成を有する。また、フォトフレーム製品は、例えば、ひし形の合成画像を囲む四角形の写真をいれるための構成を有する。またｆ、フォトフレーム製品は、例えば、指定印刷サイズＳｚＤより大きい大サイズＳｚＬを有する四角形の写真をいれるための構成を有する。
【０２１６】
そこで、様々な種類のフォトフレーム製品に対応するために、合成画像を、指定印刷サイズＳｚＤおよび大サイズＳｚＬのいずれで印刷するか、ユーザーに選択させるための処理を行ってもよい。
【０２１７】
＜実施の形態１の変形例２＞
本実施の形態の変形例２の構成は、用紙に切り取り線を印刷する構成（以下、「構成Ｃｔ２」ともいう）である。構成Ｃｔ２におけるプリントシステムは、実施の形態１のプリントシステム１０００である。
【０２１８】
構成Ｃｔ２では、実施の形態１の処理と比較して、図２のステップＳ１８０（印刷処理）のみが異なる。なお、図２におけるそれ以外の処理は、実施の形態１と同様なので説明は省略する。
【０２１９】
以下においては、合成画像が印刷された用紙のうち当該合成画像が存在する部分を、「印刷対象部」ともいう。また、以下においては、印刷対象部を、当該用紙から切り取るための線を、「切り取り線」ともいう。
【０２２０】
構成Ｃｔ２が適用されたステップＳ１８０（印刷処理）では、印刷部１５０が、合成画像および切り取り線を、用紙に印刷する。なお、印刷部１５０は、合成画像を、指定印刷サイズＳｚＤで、用紙に印刷する。切り取り線は、ハサミ等により切断される線である。
【０２２１】
なお、図９（ａ）には、切り取り線Ｌｃ１が示される。また、図９（ｂ）には、切り取り線Ｌｃ２が示される。また、図９（ｃ）には、切り取り線Ｌｃ３が示される。
【０２２２】
構成Ｃｔ２が適用されたステップＳ１８０（印刷処理）では、画像処理部１０１ｂが、指定印刷サイズＳｚＤを有する合成画像と、切り取り線とを示す画像（以下、「印刷用画像」）を生成する。そして、印刷部１５０は、印刷用画像を、用紙に印刷する。
【０２２３】
ここで、例えば、前述の前提Ｐｒ５ａにおける用紙数提示処理が行われ、かつ、選択用紙としてＤＳＣサイズの用紙が選択されたと仮定する。また、合成画像は、例えば、図９（ｂ）のフレーム画像ＧＦｒ２であると仮定する。
【０２２４】
この場合、構成Ｃｔ２が適用されたステップＳ１８０（印刷処理）が行われることにより、図９（ｂ）が示す印刷物Ｐ２０のうち、輪郭線Ｌ２が表示されていない印刷物Ｐ２０が得られる。なお、当該印刷物Ｐ２０が示すフレーム画像ＧＦｒ２の輪郭は、実線で示される。また、当該フレーム画像ＧＦｒ２のサイズは、指定印刷サイズＳｚＤである。また、印刷物Ｐ２０に示される切り取り線Ｌｃ２は、例えば、フォトフレーム製品に設けられた、四角の枠内に、当該フレーム画像ＧＦｒ２を収めるための線でもある。
【０２２５】
また、例えば、前述の前提Ｐｒ５ａにおける用紙数提示処理が行われ、かつ、選択用紙としてＫＧサイズの用紙が選択されたと仮定する。また、合成画像は、例えば、図９（ｃ）のフレーム画像ＧＦｒ１，ＧＦｒ２であると仮定する。
【０２２６】
この場合、構成Ｃｔ２が適用されたステップＳ１８０（印刷処理）が行われることにより、図９（ｃ）が示す印刷物Ｐ３０のうち、輪郭線Ｌ１，Ｌ２が表示されていない印刷物Ｐ３０が得られる。なお、当該印刷物Ｐ３０が示すフレーム画像ＧＦｒ１，ＧＦｒ２の輪郭は、実線で示される。また、フレーム画像ＧＦｒ１，ＧＦｒ２の各々のサイズは、指定印刷サイズＳｚＤである。
【０２２７】
なお、印刷物Ｐ３０に示される切り取り線Ｌｃ３は、当該切り取り線Ｌｃ３がハサミ等により切断されることにより、例えば、フレーム画像ＧＦｒ１と、フレーム画像ＧＦｒ２とを分離するための線でもある。
【０２２８】
以上説明したように、本実施の形態の変形例２によれば、印刷部１５０は、合成画像および切り取り線を、用紙に印刷する。切り取り線は、合成画像が印刷された用紙のうち当該合成画像が存在する印刷対象部を当該用紙から切り取るための線である。
【０２２９】
これにより、ハサミ等で、合成画像が存在する印刷対象部を用紙から容易に切りとることができる。
【０２３０】
なお、実施の形態１の変形例２の構成Ｃｔ２は、実施の形態１の変形例１の構成Ｃｔ１に適用可能である。以下においては、構成Ｃｔ２を構成Ｃｔ１に適用した構成を、「構成Ｃｔ１２」ともいう。
【０２３１】
構成Ｃｔ１２が適用されたステップＳ１８０（印刷処理）では、印刷部１５０が、合成画像および切り取り線を、用紙に印刷する。なお、印刷部１５０は、合成画像を、大サイズＳｚＬで、用紙に印刷する。
【０２３２】
ここで、例えば、前述の前提Ｐｒ５ａにおける用紙数提示処理が行われ、かつ、選択用紙としてＤＳＣサイズの用紙が選択されたと仮定する。また、合成画像は、例えば、図９（ｂ）のフレーム画像ＧＦｒ２であると仮定する。
【０２３３】
この場合、構成Ｃｔ１２が適用されたステップＳ１８０（印刷処理）が行われることにより、図９（ｂ）が示す印刷物Ｐ２０のうち、輪郭線Ｌ２が表示されていない印刷物Ｐ２０が得られる。なお、当該印刷物Ｐ２０が示すフレーム画像ＧＦｒ２ａの輪郭は、実線で示される。また、当該フレーム画像ＧＦｒ２ａのサイズは、大サイズＳｚＬである。
【０２３４】
また、例えば、前述の前提Ｐｒ５ａにおける用紙数提示処理が行われ、かつ、選択用紙としてＫＧサイズの用紙が選択されたと仮定する。また、合成画像は、例えば、図９（ｃ）のフレーム画像ＧＦｒ１ａ，ＧＦｒ２ａであると仮定する。
【０２３５】
この場合、構成Ｃｔ１２が適用されたステップＳ１８０（印刷処理）が行われることにより、図９（ｃ）が示す印刷物Ｐ３０のうち、輪郭線Ｌ１，Ｌ２が表示されていない印刷物Ｐ３０が得られる。なお、当該印刷物Ｐ３０が示すフレーム画像ＧＦｒ１ａ，ＧＦｒ２ａの輪郭は、実線で示される。また、フレーム画像ＧＦｒ１ａ，ＧＦｒ２ａの各々のサイズは、大サイズＳｚＬである。
【０２３６】
構成Ｃｔ１２では、実施の形態１の変形例１，２の両方の効果を得ることができる。
【０２３７】
（機能ブロック図）
図１０は、プリントシステムＢＬ１０の特徴的な機能構成を示すブロック図である。プリントシステムＢＬ１０は、プリントシステム１０００に相当する。つまり、図１０は、プリントシステムＢＬ１０の有する機能のうち、本発明に関わる主要な機能を示すブロック図である。
【０２３８】
プリントシステムＢＬ１０は、印刷対象の画像である印刷対象画像に合成するためのフレームを使用して、当該印刷対象画像を印刷する。プリントシステムＢＬ１０は、機能的には、受付け部ＢＬ１と、印刷部ＢＬ２とを備える。
【０２３９】
受付け部ＢＬ１は、ユーザーにより指定された、フレームの印刷用のサイズである指定印刷サイズを受付ける。受付け部ＢＬ１は、受付け部１０１ａに相当する。
【０２４０】
印刷部ＢＬ２は、前記印刷対象画像に、前記フレームが合成された合成画像を、前記指定印刷サイズ、または、当該指定印刷サイズより大きいサイズで、用紙に印刷する。印刷部ＢＬ２は、印刷部１５０に相当する。
【０２４１】
（その他の変形例）
以上、本発明に係るプリントシステムについて、実施の形態、当該実施の形態の変形例に基づいて説明したが、本発明は、当該実施の形態、当該実施の形態の変形例に限定されるものではない。本発明の主旨を逸脱しない範囲内で、当業者が思いつく変形を実施の形態、または、当該実施の形態の変形例に施したものも、本発明に含まれる。つまり、本発明は、その発明の範囲内において、実施の形態、実施の形態の変形例を自由に組み合わせたり、実施の形態、実施の形態の変形例を適宜、変形、省略することが可能である。
【０２４２】
例えば、プリントシステム１０００は、図で示される全ての構成要素を含まなくてもよい。すなわち、プリントシステム１０００は、本発明の効果を実現できる最小限の構成要素のみを含めばよい。例えば、プリントシステム１０００は、音声出力部１２０を備えなくてもよい。
【０２４３】
また、本発明は、プリントシステム１０００が備える特徴的な構成部の動作をステップとする画像印刷方法として実現してもよい。また、本発明は、そのような画像印刷方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０２４４】
また、本発明に係る画像印刷方法は、図２の処理の一部または全てに相当する。本発明に係る画像印刷方法は、図２における、対応する全てのステップを必ずしも含む必要はない。すなわち、本発明に係る画像印刷方法は、本発明の効果を実現できる最小限のステップのみを含めばよい。
【０２４５】
また、画像印刷方法における各ステップの実行される順序は、本発明を具体的に説明するための一例であり、上記以外の順序であってもよい。また、画像印刷方法におけるステップの一部と、他のステップとは、互いに独立して並列に実行されてもよい。
【０２４６】
上記実施の形態で用いた全ての数値は、本発明を具体的に説明するための一例の数値である。すなわち、本発明は、上記実施の形態で用いた各数値に制限されない。
【０２４７】
なお、本発明は、その発明の範囲内において、実施の形態、実施の形態の変形例を自由に組み合わせたり、実施の形態、実施の形態の変形例を適宜、変形、省略することが可能である。
【０２４８】
この発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【０２４９】
１０１ａ，ＢＬ１  受付け部、１０１ｂ  画像処理部、１０１ｃ  特定部、１５０，ＢＬ２  印刷部、１７０  記憶部、１０００，ＢＬ１０  プリントシステム。
【図１】
2017149791.tif 000003
【図２】
2017149791.tif 000004
【図３】
2017149791.tif 000005
【図４】
2017149791.tif 000006
【図５】
2017149791.tif 000007
【図６】
2017149791.tif 000008
【図７】
2017149791.tif 000009
【図８】
2017149791.tif 000010
【図９】
2017149791.tif 000011
【図１０】
2017149791.tif 000012
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
印刷対象の画像である印刷対象画像に合成するためのフレームを使用して、当該印刷対象画像を印刷するプリントシステムであって、
ユーザーにより指定された、前記フレームの印刷用のサイズである指定印刷サイズを受付ける受付け部（１０１ａ，ＢＬ１）と、
前記印刷対象画像に、前記フレームが合成された合成画像を、前記指定印刷サイズ、または、当該指定印刷サイズより大きいサイズで、用紙に印刷する印刷部（１５０，ＢＬ２）と、を備え、
前記プリントシステムは、さらに、
複数のフォトフレーム製品データを記憶している記憶部（１７０）を備え、
各前記フォトフレーム製品データは、製品としてのフォトフレームであるフォトフレーム製品に設けられた枠である製品内フレームの印刷用のサイズを示し、
前記複数のフォトフレーム製品データの各々は、異なる前記製品内フレームの印刷用のサイズを示し、
前記受付け部が受付けた前記指定印刷サイズは、前記記憶部が記憶している前記複数のフォトフレーム製品データから選択されたフォトフレーム製品データが示す、前記製品内フレームの印刷用のサイズである
プリントシステム。
【請求項２】
印刷対象の画像である印刷対象画像に合成するためのフレームを使用して、当該印刷対象画像を印刷するプリントシステムであって、
ユーザーにより指定された、前記フレームの印刷用のサイズである指定印刷サイズを受付ける受付け部（１０１ａ，ＢＬ１）と、
前記印刷対象画像に、前記フレームが合成された合成画像を、前記指定印刷サイズ、または、当該指定印刷サイズより大きいサイズで、用紙に印刷する印刷部（１５０，ＢＬ２）と、を備え、
前記プリントシステムは、さらに、
前記印刷対象画像に、前記フレームを合成する画像処理部（１０１ｂ）を備え、
前記画像処理部は、さらに、前記フレームを示す画像のデータに基づいて、当該フレームのサイズを算出する
プリントシステム。
【請求項３】
印刷対象の画像である印刷対象画像に合成するためのフレームを使用して、当該印刷対象画像を印刷するプリントシステムであって、
ユーザーにより指定された、前記フレームの印刷用のサイズである指定印刷サイズを受付ける受付け部（１０１ａ，ＢＬ１）と、
前記印刷対象画像に、前記フレームが合成された合成画像を、前記指定印刷サイズ、または、当該指定印刷サイズより大きいサイズで、用紙に印刷する印刷部（１５０，ＢＬ２）と、を備え、
前記プリントシステムが、前記合成画像を印刷可能な前記用紙のサイズは予め決まっており、
前記プリントシステムは、さらに、
前記指定印刷サイズを有する前記合成画像を印刷可能な前記用紙のサイズを特定する特定部（１０１ｃ）を備え、
前記合成画像の数は、ｋ（１以上の整数）であり、
前記特定部は、さらに、ｋ枚の前記合成画像を、特定された前記サイズを有する用紙で印刷するために必要な当該用紙の数を特定する
プリントシステム。
【請求項４】
印刷対象の画像である印刷対象画像に合成するためのフレームを使用して、当該印刷対象画像を印刷するプリントシステムであって、
ユーザーにより指定された、前記フレームの印刷用のサイズである指定印刷サイズを受付ける受付け部（１０１ａ，ＢＬ１）と、
前記印刷対象画像に、前記フレームが合成された合成画像を、前記指定印刷サイズ、または、当該指定印刷サイズより大きいサイズで、用紙に印刷する印刷部（１５０，ＢＬ２）と、を備え、
前記印刷部は、前記合成画像を、前記指定印刷サイズより大きいサイズである大サイズで、前記用紙に印刷し、
前記大サイズを有する前記合成画像である拡大合成画像の形状は、前記指定印刷サイズを有する前記合成画像である元合成画像の形状と同じであり、
前記拡大合成画像は、前記元合成画像の周縁が、当該元合成画像の中心から当該元合成画像の外部に向かう方向へ、１ミリから９ミリの範囲に含まれる距離だけ移動するように、当該元合成画像を拡大した画像である
プリントシステム。
【請求項５】
前記プリントシステムは、さらに、
前記印刷対象画像に、前記フレームを合成する画像処理部（１０１ｂ）を備える
請求項１，３，４のいずれか１項に記載のプリントシステム。
【請求項６】
前記画像処理部は、さらに、
前記印刷対象画像を加工する
請求項５に記載のプリントシステム。
【請求項７】
前記プリントシステムは、さらに、
複数のフォトフレーム製品データを記憶している記憶部（１７０）を備え、
各前記フォトフレーム製品データは、製品としてのフォトフレームであるフォトフレーム製品に設けられた枠である製品内フレームの印刷用のサイズを示し、
前記複数のフォトフレーム製品データの各々は、異なる前記製品内フレームの印刷用のサイズを示し、
前記受付け部が受付けた前記指定印刷サイズは、前記記憶部が記憶している前記複数のフォトフレーム製品データから選択されたフォトフレーム製品データが示す、前記製品内フレームの印刷用のサイズである
請求項２から６のいずれか１項に記載のプリントシステム。
【請求項８】
前記画像処理部は、さらに、前記フレームを示す画像のデータに基づいて、当該フレームのサイズを算出する
請求項５に記載のプリントシステム。
【請求項９】
前記記憶部（１７０）は、前記指定印刷サイズを示すデータである指定印刷サイズデータを記憶する機能と、記憶している当該指定印刷サイズデータを削除する機能とを有する
請求項１，７のいずれか１項に記載のプリントシステム。
【請求項１０】
前記プリントシステムは、さらに、
前記指定印刷サイズを示すデータである指定印刷サイズデータを記憶する機能と、記憶している当該指定印刷サイズデータを削除する機能とを有する記憶部（１７０）を備える
請求項２から６，８のいずれか１項に記載のプリントシステム。
【請求項１１】
前記プリントシステムが、前記合成画像を印刷可能な前記用紙のサイズは予め決まっており、
前記プリントシステムは、さらに、
前記指定印刷サイズを有する前記合成画像を印刷可能な前記用紙のサイズを特定する特定部（１０１ｃ）を備える
請求項１，２，４から１０のいずれか１項に記載のプリントシステム。
【請求項１２】
前記合成画像の数は、ｋ（１以上の整数）であり、
前記特定部は、さらに、ｋ枚の前記合成画像を、特定された前記サイズを有する用紙で印刷するために必要な当該用紙の数を特定する
請求項１１に記載のプリントシステム。
【請求項１３】
前記印刷部は、前記合成画像を、前記指定印刷サイズより大きいサイズである大サイズで、前記用紙に印刷し、
前記大サイズを有する前記合成画像である拡大合成画像の形状は、前記指定印刷サイズを有する前記合成画像である元合成画像の形状と同じであり、
前記拡大合成画像は、前記元合成画像の周縁が、当該元合成画像の中心から当該元合成画像の外部に向かう方向へ、１ミリから９ミリの範囲に含まれる距離だけ移動するように、当該元合成画像を拡大した画像である
請求項１から３，５から１２のいずれか１項に記載のプリントシステム。
【請求項１４】
前記印刷部は、前記合成画像および切り取り線を、当該用紙に印刷し、
前記切り取り線は、前記合成画像が印刷された前記用紙のうち当該合成画像が存在する部分を当該用紙から切り取るための線である
請求項１から１３のいずれか１項に記載のプリントシステム。
【手続補正２】
【補正対象書類名】明細書
【補正対象項目名】０００７
【補正方法】変更
【補正の内容】
【０００７】
上記目的を達成するために、本発明の一態様に係るプリントシステムは、印刷対象の画像である印刷対象画像に合成するためのフレームを使用して、当該印刷対象画像を印刷する。前記プリントシステムは、ユーザーにより指定された、前記フレームの印刷用のサイズである指定印刷サイズを受付ける受付け部と、前記印刷対象画像に、前記フレームが合成された合成画像を、前記指定印刷サイズ、または、当該指定印刷サイズより大きいサイズで、用紙に印刷する印刷部と、を備え、前記プリントシステムは、さらに、複数のフォトフレーム製品データを記憶している記憶部（１７０）を備え、各前記フォトフレーム製品データは、製品としてのフォトフレームであるフォトフレーム製品に設けられた枠である製品内フレームの印刷用のサイズを示し、前記複数のフォトフレーム製品データの各々は、異なる前記製品内フレームの印刷用のサイズを示し、前記受付け部が受付けた前記指定印刷サイズは、前記記憶部が記憶している前記複数のフォトフレーム製品データから選択されたフォトフレーム製品データが示す、前記製品内フレームの印刷用のサイズである。
【国際調査報告】
2017149791.tif 000013
2017149791.tif 000014
2017149791.tif 000015
2017149791.tif 000016